【手続補正書】
【提出日】平成20年7月4日(2008.7.4)
【手続補正１】
【補正対象書類名】明細書
【補正対象項目名】特許請求の範囲
【補正方法】変更
【補正の内容】
【特許請求の範囲】
【請求項１】  少なくとも２つの生理的活性（activity）を測定するためのシステムであって、該活性が、ｉ）単一のタイプの組織または器官の少なくとも２つの活性、またはｉｉ）患者の体内の少なくとも２タイプの組織または器官の各々の少なくとも１つの活性、であり、
ｉ）４００から９００ｎｍまでの範囲の波長の電磁放射を吸収または放出できる発光団または発蛍光団、ｉｉ）常磁性物質、ｉｉｉ）放射性医薬、からなる群から選択される少なくとも２種のトレーサーであって、但し少なくとも１種のトレーサーはグループ（ｉ）またはグループ（ｉｉ）であり、該トレーサーは、検出可能な量で該患者の体液内に投与されることが意図され、該体液から該組織または器官によって選択的に除去されるものである、トレーサー、
１）少なくとも１つの非侵襲性表面モニタープローブ（probe）、２）少なくとも１つの侵襲性内視鏡装置、または３）少なくとも１つの非侵襲性表面モニタープローブおよび少なくとも１つの侵襲性内視鏡装置、を備える、ｉ）使用した該発光団または発蛍光団の各々についての電磁放射の吸収または放出、ｉｉ）使用した該常磁性物質の各々によって産生される磁性シグナル、およびｉｉｉ）使用した該放射性医薬の各々についての放射性崩壊、を測定することにより、身体の少なくとも１つの部分から該体液中の該トレーサーの各々の量を検出するための手段、
該体液中の各トレーサーの量に基づいて、該体液からの該トレーサーの各々のクリアランス率またはクリアランスプロフィールを判定するための手段、ならびに
各トレーサーの該クリアランス率またはプロフィールを、該器官または組織の該生理的活性の１つに対応させるための手段、
を備え、少なくとも２つの生理的活性が判定され、さらに、少なくとも一時期の間、該少なくとも２種のトレーサーが検出可能な量で該体液中に同時に存在することが意図される、システム。
【請求項２】  該検出するための手段が、非侵襲性表面モニタープローブを備える、請求項１に記載のシステム。
【請求項３】  該検出するための手段が、末梢静脈、中心静脈または肺動脈に設置されるように構成された侵襲性血管内プローブを備える、請求項１に記載のシステム。
【請求項４】  該組織または器官が、腎臓、肝臓、脳、心臓および腫瘍からなる群から選択される、請求項１に記載のシステム。
【請求項５】  該器官が、肝臓および腎臓である、請求項１に記載のシステム。
【請求項６】  少なくとも２種のトレーサーが同時に投与されることを意図される、請求項１に記載のシステム。
【請求項７】  第１のトレーサーの投与に続いて、少なくとも１種のトレーサーが投与されることを意図される、請求項１に記載のシステム。
【請求項８】  該少なくとも２種のトレーサーが同時に検出されることを意図される、請求項１に記載のシステム。
【請求項９】  第１のトレーサーが、第２のトレーサーの検出とは別の時間に検出されることを意図される、請求項１に記載のシステム。
【請求項１０】  該検出するための手段が、多数の時点で検出を実施するために適しており、第１のトレーサーが、第２のトレーサーの検出時点とは異なる時点で検出される、請求項１に記載のシステム。
【請求項１１】  該検出するための手段が、多数の時点で検出を実施するために適しており、該少なくとも２種のトレーサーの検出が少なくとも１時点で同時に起こる、請求項１に記載のシステム。
【請求項１２】  該トレーサーが注射で投与されるために適している、請求項１に記載のシステム。
【請求項１３】  該トレーサーが静脈注射で投与されるために適している、請求項１に記載のシステム。
【請求項１４】  該身体の少なくとも１つの部分が、該患者の皮膚表面に近い血管を含む、請求項１に記載のシステム。
【請求項１５】  該トレーサーが、ｉ）少なくとも２種の発光団、ｉｉ）少なくとも２種の発蛍光団、またはｉｉｉ）少なくとも１種の発光団および少なくとも１種の発蛍光団を含む、請求項１に記載のシステム。
【請求項１６】  該発光団または発蛍光団が、シアニン類、インドシアニン類、スクアライン（squaraine）類、フルオレセイン誘導体類、および、ポリ陰イオン性フルオレセインバイオ結合体（bioconjugate）類からなる群から選択される、請求項１５に記載のシステム。
【請求項１７】  該発蛍光団が、インドシアニングリーンおよびフルオレセイン−ポリアスパラギン酸バイオ結合体からなる群から選択される、請求項１５に記載のシステム。
【請求項１８】  該検出するための手段が蛍光の方法を含む、請求項１に記載のシステム。
【請求項１９】  該検出するための手段が吸光の方法を含む、請求項１に記載のシステム。
【請求項２０】  該検出するための手段が光散乱の方法を含む、請求項１に記載のシステム。
【請求項２１】  該トレーサーが少なくとも２種の常磁性物質を含む、請求項１に記載のシステム。
【請求項２２】  該常磁性物質が、Ｇｄ−ＤＴＰＡ、Ｇｄ−ＤＴＰＡ−ビス（メトキシエチル）アミド、および超常磁性酸化鉄粒子からなる群から選択される、請求項２１に記載のシステム。
【請求項２３】  該トレーサーが、ｉ）少なくとも１種の放射性医薬、およびｉｉ）少なくとも１種の発光団または発蛍光団、を含む、請求項１に記載のシステム。
【請求項２４】  ｉ）該放射性医薬が、９９ｍＴｃ−ＤＴＰＡ、５１Ｃｒ−ＥＤＴＡ、９９ｍＴｃ−ＭＡＧ３、９９ｍＴｃ−ＨＩＤＡ、９９ｍＴｃ−セスタミビ（sestamibi）、９９ｍＴｃ−テトラフォスミン（tetrafosmin）、９９ｍＴｃ−ＥＣＤ、１３１Ｉ−ヒプラン（hippuran）、９９ｍＴｃ−ＤＴＰＡ−オクトレオチド、９９ｍＴｃ−ＤＴＰＡ−オクトレオタート（octreotate）からなる群から選択され、そしてｉｉ）該発光団または発蛍光団が、シアニン類、インドシアニン類、スクアライン類、フルオレセイン誘導体類、および、ポリ陰イオン性フルオレセインバイオ結合体類からなる群から選択される、請求項２３に記載のシステム。
【請求項２５】  該トレーサーが、ｉ）少なくとも１種の常磁性物質、およびｉｉ）少なくとも１種の発光団または発蛍光団、を含む、請求項１に記載のシステム。
【請求項２６】  ｉ）該常磁性物質が、Ｇｄ−ＤＴＰＡ、Ｇｄ−ＤＴＰＡ−ビス（メトキシエチル）アミド、および超常磁性酸化鉄粒子からなる群から選択され、そしてｉｉ）該発光団または発蛍光団が、シアニン類、インドシアニン類、スクアライン類、フルオレセイン誘導体類、および、ポリ陰イオン性フルオレセインバイオ結合体類からなる群から選択される、請求項２５に記載のシステム。
【請求項２７】  該トレーサーが、ｉ）少なくとも１種の放射性医薬、およびｉｉ）少なくとも１種の常磁性物質、を含む、請求項１に記載のシステム。
【請求項２８】  ｉ）該放射性医薬が、９９ｍＴｃ−ＤＴＰＡ、５１Ｃｒ−ＥＤＴＡ、９９ｍＴｃ−ＭＡＧ３、９９ｍＴｃ−ＨＩＤＡ、９９ｍＴｃ−セスタミビ、９９ｍＴｃ−テトラフォスミン、９９ｍＴｃ−ＥＣＤ、１３１Ｉ−ヒプラン、９９ｍＴｃ−ＤＴＰＡ−オクトレオチド、および９９ｍＴｃ−ＤＴＰＡ−オクトレオタートからなる群から選択され、ｉｉ）該常磁性物質が、Ｇｄ−ＤＴＰＡ、Ｇｄ−ＤＴＰＡ−ビス（メトキシエチル）アミド、または超常磁性酸化鉄粒子からなる群から選択される、請求項２７に記載のシステム。